(57)【要約】【課題】所定の成分の皮膚に対する透過率をより精度良く推定することが可能な皮膚透過率測定方法を提供する。【解決手段】この皮膚透過率測定方法は、メッシュシート２０１に被験者の所定の成分を含む組織液を保持するための媒体として純水を供給する工程と、メッシュシート２０１を被験者の皮膚５００の抽出部位５０１に配置する工程と、抽出部位５０１を介してメッシュシート２０１内の純水中に組織液を抽出する工程と、抽出部位５０１に電力を供給するための作用電極２０３および抽出部位５０１以外の部位５０２に電力を供給するための乾燥電極１の間に電力を供給する工程と、作用電極２０３および乾燥電極１間に供給された電力に基づいて抽出部位５０１のコンダクタンスを測定する工程とを備えている。【選択図】図１
2008237271.tif 000002
【特許請求の範囲】
【請求項１】
媒体収容部に被験者の所定の成分を含む組織液を保持するための媒体として低導電性媒体を供給する工程と、
前記媒体収容部を被験者の皮膚の抽出部位に配置する工程と、
前記抽出部位を介して前記媒体収容部内の低導電性媒体中に前記組織液を抽出する工程と、
前記抽出部位に電力を供給するための第１電極および前記抽出部位以外の皮膚に電力を供給するための第２電極の間に電力を供給する工程と、
前記第１電極および前記第２電極間に供給された電力に基づいて前記抽出部位のコンダクタンスを測定する工程とを備えた、皮膚透過率測定方法。
【請求項２】
前記組織液の抽出開始時における前記媒体収容部中の低導電性媒体の抵抗率は、１．６７ＫΩ・ｃｍ以上である、請求項１に記載の皮膚透過率測定方法。
【請求項３】
前記低導電性媒体は、純水を含む、請求項１または２に記載の皮膚透過率測定方法。
【請求項４】
前記抽出部位は、前記被験者の皮膚のうち、皮膚透過促進処理が施された皮膚である、請求項１〜３のいずれか１項に記載の皮膚透過率測定方法。
【請求項５】
媒体収容部に被験者の所定の成分を含む組織液を保持するための媒体として低導電性媒体を供給する工程と、
前記媒体収容部を被験者の皮膚の抽出部位に配置する工程と、
前記抽出部位を介して前記媒体収容部内の低導電性媒体中に前記組織液を抽出する工程と、
前記抽出部位に電力を供給するための第１電極および前記抽出部位以外の皮膚に電力を供給するための第２電極の間に電力を供給する工程と、
前記低導電性媒体中に前記抽出部位を介して抽出された前記組織液に含まれる所定の成分の量に対応する値を測定する工程と、
前記第１電極および前記第２電極間に供給された電力の通電結果および前記所定の成分の量に対応する値の測定結果に基づいて、組織液中の所定の成分の濃度を算出する工程とを備えた、成分濃度分析方法。
【請求項６】
前記組織液中の所定の成分の濃度を算出する工程は、前記第１電極および前記第２電極間に供給された電力の通電結果に基づいて前記抽出部位のコンダクタンスを測定する工程を含む、請求項５に記載の成分濃度分析方法。
【請求項７】
前記コンダクタンスを測定する工程は、前記低導電性媒体中に組織液を抽出する工程の後、前記低導電性媒体中のイオンが前記低導電性媒体中において実質的に均質な状態で、前記コンダクタンスを測定する工程を含む、請求項６に記載の成分濃度分析方法。
【請求項８】
前記所定の成分は、グルコースを含む、請求項５〜７のいずれか１項に記載の成分濃度分析方法。
【請求項９】
被験者の皮膚の抽出部位に配置されるとともに、前記被験者の所定の成分を含む組織液を保持するための低導電性媒体を収容する媒体収容部と、
前記抽出部位に電力を供給するための第１電極と、
前記被験者の皮膚の前記抽出部位以外の第１部位に電力を供給するための第２電極と、
前記第１電極および前記第２電極に電力を供給する電源と、
前記電源から前記第１電極および前記第２電極に電力を供給することによって前記抽出部位のコンダクタンスを測定するコンダクタンス測定部とを備えた、皮膚透過率測定装置。
【請求項１０】
前記電源は、前記第１電極および前記第２電極間に交流を印加することが可能に構成されており、
前記コンダクタンス測定部は、前記電源により前記第１電極および前記第２電極間に印加された交流の通電結果に基づいて前記抽出部位のコンダクタンスを測定するように構成されている、請求項９に記載の皮膚透過率測定装置。
【請求項１１】
前記被験者の皮膚の前記抽出部位以外の第２部位に電力を供給するための第３電極をさらに備え、
前記電源は、前記第１電極および前記第２電極間と、前記第１電極および前記第３電極間と、前記第２電極および前記第３電極間とに直流を印加することが可能に構成されており、
前記コンダクタンス測定部は、前記電源により前記第１電極および前記第２電極間と、前記第１電極および前記第３電極間と、前記第２電極および前記第３電極間とに印加された直流の通電結果に基づいて前記抽出部位のコンダクタンスを測定するように構成されている、請求項９に記載の皮膚透過率測定装置。
【請求項１２】
前記媒体収容部において、低導電性媒体中のイオンを前記低導電性媒体中に均質化させる均質化手段を備えた、請求項９〜１１のいずれか１項に記載の皮膚透過率測定装置。
【請求項１３】
被験者の皮膚の抽出部位に配置されるとともに、前記被験者の所定の成分を含む組織液を保持するための低導電性媒体を収容する媒体収容部と、
前記抽出部位に電力を供給するための第１電極と、
前記抽出部位以外の皮膚に電力を供給するための第２電極と、
前記第１電極および前記第２電極に電力を供給する電源と、
前記電源から前記第１電極および前記第２電極に電力を供給することによって通電結果を測定する通電結果測定部と、
前記媒体収容部に媒体として供給された低導電性媒体中に前記抽出部位を介して抽出された組織液に含まれる所定の成分の量に対応する値を測定する成分量測定部と、
前記通電結果および前記所定の成分の量に対応する値に基づいて、組織液中の所定の成分の濃度を算出する分析部とを備えた、成分濃度分析装置。
【請求項１４】
前記通電結果測定部は、前記電源から前記第１電極および前記第２電極に電力を供給した通電結果に基づいて、前記抽出部位のコンダクタンスを測定するように構成されている、請求項１３に記載の成分濃度分析装置。
【請求項１５】
前記媒体収容部および前記第１電極が含まれる抽出用カートリッジと、
前記抽出用カートリッジを装着するためのカートリッジ装着部、前記第２電極、前記電源、前記通電結果測定部、前記成分量測定部および前記分析部が含まれる本体装置とを備える、請求項１３または１４に記載の成分濃度分析装置。
【請求項１６】
前記媒体収容部および前記第１電極が含まれる抽出用カートリッジと、
前記抽出用カートリッジを装着するための第１カートリッジ装着部、前記第２電極、前記電源および前記通電結果測定部が含まれる本体装置と、
前記抽出用カートリッジを装着するための第２カートリッジ装着部、前記成分量測定部および前記分析部が含まれる測定装置とを備える、請求項１３または１４に記載の成分濃度分析装置。
【請求項１７】
前記媒体収容部は、シート状に形成されているとともに、前記抽出部位と対向するように配置されており、
前記シート状の媒体収容部は、５００μｍ以下の厚みを有する、請求項１３〜１６のいずれか１項に記載の成分濃度分析装置。
【発明の詳細な説明】
【技術分野】
【０００１】
この発明は、皮膚透過率測定方法、成分濃度分析方法、皮膚透過率測定装置および成分濃度分析装置に関し、特に、媒体収容部に被験者の所定の成分を含む組織液を保持するための媒体を供給する工程を備えた皮膚透過率測定方法および成分濃度分析方法と、被験者の所定の成分を含む組織液を保持するための媒体収容部を備えた皮膚透過率測定装置および成分濃度分析装置とに関する。
【背景技術】
【０００２】
従来、媒体収容部に被験者の所定の成分を含む組織液を保持するための媒体を供給する工程を備えた血糖値分析方法が知られている（たとえば、特許文献１参照）。
【０００３】
上記特許文献１では、血液を採取することなく血糖値を分析するために、いわゆるリバースイオントフォレシス法により被験者の皮膚からグルコースを抽出している。すなわち、被験者の皮膚に配置されたチャンバー内にグルコースを保持する媒体として生理食塩水を供給するとともに、被験者の皮膚に配置された電極を介して皮膚に所定の時間通電する。これにより、通電により形成された電位勾配に起因して、被験者の組織液中に存在するイオンの移動が生じる。このイオン性の物質の移動に伴って、組織液に含まれるグルコースも移動するので、チャンバー内の生理食塩水中に、皮膚から抽出されたグルコースを含む組織液が保持される。このチャンバー内のグルコース量をセンサにより測定するとともに、得られたグルコース量を通電時間で割ることにより、グルコース抽出速度が算出される。また、上記特許文献１では、経皮的に抽出されたグルコースの抽出量を補正するために、被験者の皮膚のコンダクタンスを測定しており、このコンダクタンスにより被験者の皮膚の状態をモニタリングしている。そして、コンダクタンスからコンダクタンスと相関関係にあるグルコースの皮膚に対する透過率（グルコース透過率）を推定するとともに、グルコース抽出速度およびグルコース透過率に基づいて、被験者の血糖値を算出している。
【０００４】
【特許文献１】特開２００６−６８４９２号公報
【発明の開示】
【発明が解決しようとする課題】
【０００５】
しかしながら、上記特許文献１では、グルコースを含む組織液を保持する媒体として生理食塩水を使用しているため、生理食塩水内に含まれるＮａ＋およびＣｌ−などの塩に起因して、コンダクタンスとグルコース透過率との相関が悪くなるという不都合がある。そのため、グルコース透過率を精度良く推定することが困難であるという問題点がある。また、グルコース透過率を精度良く推定することが困難であるため、グルコース透過率に基づいて算出される血糖値を精度良く算出することも困難であるという問題点がある。
【０００６】
この発明は、上記のような課題を解決するためになされたものであり、この発明の１つの目的は、所定の成分の皮膚に対する透過率をより精度良く推定することが可能な皮膚透過率測定方法および組織液中の所定の成分の濃度をより精度良く算出することが可能な成分濃度分析方法を提供することである。
【０００７】
また、この発明の他の目的は、所定の成分の皮膚に対する透過率をより精度良く推定することが可能な皮膚透過率測定装置および組織液中の所定の成分の濃度をより精度良く算出することが可能な成分濃度分析装置を提供することである。
【課題を解決するための手段および発明の効果】
【０００８】
この発明の第１の局面による皮膚透過率測定方法は、媒体収容部に被験者の所定の成分を含む組織液を保持するための媒体として低導電性媒体を供給する工程と、媒体収容部を被験者の皮膚の抽出部位に配置する工程と、抽出部位を介して媒体収容部内の低導電性媒体中に組織液を抽出する工程と、抽出部位に電力を供給するための第１電極および抽出部位以外の皮膚に電力を供給するための第２電極の間に電力を供給する工程と、第１電極および第２電極間に供給された電力に基づいて抽出部位のコンダクタンスを測定する工程とを備えている。
【０００９】
この第１の局面による皮膚透過率測定方法では、上記のように、媒体収容部に被験者の所定の成分を含む組織液を保持するための媒体として低導電性媒体を供給することによって、上記媒体として生理食塩水を用いる場合に比べて、低導電性媒体に保持された所定の成分の皮膚（抽出部位）に対する透過率と抽出部位のコンダクタンスとの相関を良くすることができる。これにより、抽出部位のコンダクタンスを測定することによって、所定の成分の皮膚（抽出部位）に対する透過率をより精度良く推定することができる。なお、この効果については、後述する実験により検証済みである。
【００１０】
上記第１の局面による皮膚透過率測定方法において、好ましくは、組織液の抽出開始時における媒体収容部中の低導電性媒体の抵抗率は、１．６７ＫΩ・ｃｍ以上である。このような抵抗率を有する低導電性媒体を組織液を保持するための媒体として用いることによって、抵抗率が約０．０５４ＫΩ・ｃｍと低い生理食塩水などの導電性の媒体を用いる場合と比較して、所定の成分の皮膚に対する透過率と抽出部位のコンダクタンスとの相関を良くすることができる。
【００１１】
上記第１の局面による皮膚透過率測定方法において、好ましくは、低導電性媒体は、純水を含む。このように構成すれば、抵抗率が約０．０５４ＫΩ・ｃｍと低い生理食塩水などの導電性の媒体を用いる場合と比較して、実質的に非導電性の純水を用いることにより、所定の成分の皮膚（抽出部位）に対する透過率と抽出部位のコンダクタンスとの相関を大幅に良くすることができる。
【００１２】
上記第１の局面による皮膚透過率測定方法において、好ましくは、抽出部位は、被験者の皮膚のうち、皮膚透過促進処理が施された皮膚である。このように構成すれば、皮膚透過促進処理を施した抽出部位を介して組織液を媒体収容部内の低導電性媒体中に容易に抽出することができる。
【００１３】
この発明の第２の局面による成分濃度分析方法は、媒体収容部に被験者の所定の成分を含む組織液を保持するための媒体として低導電性媒体を供給する工程と、媒体収容部を被験者の皮膚の抽出部位に配置する工程と、抽出部位を介して媒体収容部内の低導電性媒体中に組織液を抽出する工程と、抽出部位に電力を供給するための第１電極および抽出部位以外の皮膚に電力を供給するための第２電極の間に電力を供給する工程と、低導電性媒体中に抽出部位を介して抽出された組織液に含まれる所定の成分の量に対応する値を測定する工程と、第１電極および第２電極間に供給された電力の通電結果および所定の成分の量に対応する値の測定結果に基づいて、組織液中の所定の成分の濃度を算出する工程とを備えている。
【００１４】
この第２の局面による成分濃度分析方法では、上記のように、媒体収容部に被験者の所定の成分を含む組織液を保持するための媒体として低導電性媒体を供給することによって、上記媒体として生理食塩水を用いる場合に比べて、低導電性媒体に保持された所定の成分の皮膚（抽出部位）に対する透過率を第１電極および第２電極間に供給された電力の通電結果に基づいてより精度良く推定することができる。また、第１電極および第２電極間に供給された電力の通電結果および所定の成分の量に対応する値の測定結果に基づいて、組織液中の所定の成分の濃度を算出することによって、低導電性媒体を用いることによってより精度良く求められた所定の成分の皮膚（抽出部位）に対する透過率に基づいて組織液中の所定の成分の濃度を算出することができる。したがって、組織液中の所定の成分の濃度をより精度良く算出することができる。
【００１５】
上記第２の局面による成分濃度分析方法において、組織液中の所定の成分の濃度を算出する工程は、第１電極および第２電極間に供給された電力の通電結果に基づいて抽出部位のコンダクタンスを測定する工程を含んでいてもよい。
【００１６】
この場合、好ましくは、コンダクタンスを測定する工程は、低導電性媒体中に組織液を抽出する工程の後、低導電性媒体中のイオンが低導電性媒体中において実質的に均質な状態で、コンダクタンスを測定する工程を含む。このように構成すれば、組織液を抽出した直後の、低導電性媒体にＮａ＋などのイオンが局在した状態でコンダクタンスを測定する場合と比較して、より精度良くコンダクタンスを測定することができる。これにより、組織液中の所定の成分の濃度をより精度良く算出することができる。
【００１７】
上記第２の局面による成分濃度分析方法において、所定の成分は、グルコースを含んでいてもよい。
【００１８】
この発明の第３の局面による皮膚透過率測定装置は、被験者の皮膚の抽出部位に配置されるとともに、被験者の所定の成分を含む組織液を保持するための低導電性媒体を収容する媒体収容部と、抽出部位に電力を供給するための第１電極と、被験者の皮膚の抽出部位以外の第１部位に電力を供給するための第２電極と、第１電極および第２電極に電力を供給する電源と、電源から第１電極および第２電極に電力を供給することによって抽出部位のコンダクタンスを測定するコンダクタンス測定部とを備えている。
【００１９】
この第３の局面による皮膚透過率測定装置では、上記のように、被験者の所定の成分を含む組織液を保持するための低導電性媒体を収容する媒体収容部を設けることによって、媒体収容部に生理食塩水を収容する場合に比べて、低導電性媒体に保持された所定の成分の皮膚（抽出部位）に対する透過率と抽出部位のコンダクタンスとの相関を良くすることができる。これにより、抽出部位のコンダクタンスを測定することによって、所定の成分の皮膚（抽出部位）に対する透過率をより精度良く推定することができる。
【００２０】
上記第３の局面による皮膚透過率測定装置において、好ましくは、電源は、第１電極および第２電極間に交流を印加することが可能に構成されており、コンダクタンス測定部は、電源により第１電極および第２電極間に印加された交流の通電結果に基づいて抽出部位のコンダクタンスを測定するように構成されている。このように構成すれば、第１電極および第２電極間のみに交流を印加することにより、比較的簡易な構成で、かつ、比較的短い測定時間で抽出部位のコンダクタンスを測定することができる。
【００２１】
上記第３の局面による皮膚透過率測定装置において、好ましくは、被験者の皮膚の抽出部位以外の第２部位に電力を供給するための第３電極をさらに備え、電源は、第１電極および第２電極間と、第１電極および第３電極間と、第２電極および第３電極間とに直流を印加することが可能に構成されており、コンダクタンス測定部は、電源により第１電極および第２電極間と、第１電極および第３電極間と、第２電極および第３電極間とに印加された直流の通電結果に基づいて抽出部位のコンダクタンスを測定するように構成されている。このように構成すれば、交流によりコンダクタンスを測定する場合と比較して、抽出部位のコンダクタンスを比較的安定して測定することができる。
【００２２】
上記第３の局面による皮膚透過率測定装置において、好ましくは、媒体収容部において、低導電性媒体中のイオンを低導電性媒体中に均質化させる均質化手段を備えている。このように構成すれば、均質化手段により、組織液の抽出直後において低導電性媒体中にイオンが局在した状態から、コンダクタンスを測定する際の状態として好ましい低導電性媒体中のイオンが低導電性媒体中に均質化した状態に短時間で変化させることができる。これにより、コンダクタンスの測定を速やかに開始することができる。
【００２３】
この発明の第４の局面による成分濃度分析装置は、被験者の皮膚の抽出部位に配置されるとともに、被験者の所定の成分を含む組織液を保持するための低導電性媒体を収容する媒体収容部と、抽出部位に電力を供給するための第１電極と、抽出部位以外の皮膚に電力を供給するための第２電極と、第１電極および第２電極に電力を供給する電源と、電源から第１電極および第２電極に電力を供給することによって通電結果を測定する通電結果測定部と、媒体収容部に媒体として供給された低導電性媒体中に抽出部位を介して抽出された組織液に含まれる所定の成分の量に対応する値を測定する成分量測定部と、通電結果および所定の成分の量に対応する値に基づいて、組織液中の所定の成分の濃度を算出する分析部とを備えている。
【００２４】
この第４の局面による成分濃度分析装置では、上記のように、被験者の所定の成分を含む組織液を保持するための低導電性媒体を収容する媒体収容部を設けることによって、媒体収容部に生理食塩水を収容する場合に比べて、低導電性媒体に保持された所定の成分の皮膚（抽出部位）に対する透過率と通電結果との相関を良くすることができる。これにより、通電結果によって、所定の成分の皮膚（抽出部位）に対する透過率をより精度良く推定することができる。また、通電結果および所定の成分の量に対応する値に基づいて、組織液中の所定の成分の濃度を算出する分析部を設けることによって、低導電性媒体を用いることによってより精度良く求められた所定の成分の皮膚（抽出部位）に対する透過率に基づいて、組織液中の所定の成分の濃度を算出することができる。したがって、組織液中の所定の成分の濃度をより精度良く算出することができる。
【００２５】
上記第４の局面による成分濃度分析装置において、通電結果測定部は、電源から第１電極および第２電極に電力を供給した通電結果に基づいて、抽出部位のコンダクタンスを測定するように構成されていてもよい。
【００２６】
上記第４の局面による成分濃度分析装置において、媒体収容部および第１電極が含まれる抽出用カートリッジと、抽出用カートリッジを装着するためのカートリッジ装着部、第２電極、電源、通電結果測定部、成分量測定部および分析部が含まれる本体装置とを備えていてもよい。
【００２７】
上記第４の局面による成分濃度分析装置において、媒体収容部および第１電極が含まれる抽出用カートリッジと、抽出用カートリッジを装着するための第１カートリッジ装着部、第２電極、電源および通電結果測定部が含まれる本体装置と、抽出用カートリッジを装着するための第２カートリッジ装着部、成分量測定部および分析部が含まれる測定装置とを備えていてもよい。
【００２８】
上記第４の局面による成分濃度分析装置において、好ましくは、媒体収容部は、シート状に形成されているとともに、抽出部位と対向するように配置されており、シート状の媒体収容部は、５００μｍ以下の厚みを有する。このように構成すれば、媒体収容部の容積を小さくすることができるので、容積が大きい場合と比較して、比較的短時間待機することにより、イオンが第１電極近傍に局在した組織液の抽出直後の状態から、イオンが拡散により媒体収容部に均一化した状態にすることができる。これにより、速やかに第１電極および第２電極に通電を開始して、通電結果を得ることができる。
【発明を実施するための最良の形態】
【００２９】
以下、本発明を具体化した実施形態を図面に基づいて説明する。
【００３０】
（第１実施形態）
図１は、本発明の第１実施形態によるグルコース濃度分析装置の構成を示すブロック図である。まず、図１を参照して、本発明の第１実施形態によるグルコース濃度分析装置１００の構造を説明する。
【００３１】
図１に示すように、このグルコース濃度分析装置１００は、生体から生化学成分の一つであるグルコースを含む組織液を抽出するとともに、抽出された組織液に含まれるグルコースを分析することにより血糖値を算出する装置である。このグルコース濃度分析装置１００では、微細孔が形成された被験者の皮膚（抽出部位）に直流電流を印加することにより抽出部位から組織液を抽出し、その組織液からグルコースセンサによりグルコースの量（グルコース抽出量）を得る。このグルコース抽出量は、微細孔の深さなどにより変化するため、被験者の皮膚（抽出部位）に交流電流を印加することにより得られる電気的情報から抽出部位のコンダクタンスを算出して、抽出部位のコンダクタンスにより抽出部位の状態（微細孔の深さなど）をモニタリングする。このように、グルコース抽出量をコンダクタンスの値により補正することにより、グルコースの濃度を精度良く求めることが可能である。組織液に含まれるグルコースの濃度は、血糖値と実質的に等しいので、被験者の血液を採取することなく、被験者の血糖値を測定することが可能である。以下にグルコース濃度分析装置１００の構造を詳細に説明する。
【００３２】
このグルコース濃度分析装置１００は、被験者の皮膚５００のうち、抽出部位５０１以外の部位５０２に配置されるＴｉからなる乾燥電極１と、交流電流および直流電流を電流制御により印加するための電源部２と、半導体レーザとフォトダイオードとから構成されるグルコースセンサ３と、電源部２およびグルコースセンサ３を制御するための制御・解析部４と、電圧計５と、被験者がグルコース濃度分析装置１００に測定の開始を指示するためのボタンなどからなる入力部６と、測定結果などを表示するための表示部７とを備えている。また、グルコース濃度分析装置１００には、分析が行われる際に、測定毎に交換可能なディスポチップ２００が取り付けられる。
【００３３】
ディスポチップ２００は、純水が染み込まされたメッシュシート２０１と、メッシュシート２０１の上面に配置され、メッシュシート２０１に含まれるグルコースと反応する物質が塗布されたセンサ部材２０２と、Ａｇ／ＡｇＣｌからなる作用電極２０３と、Ａｇ／ＡｇＣｌからなる参照電極２０４と、マスキングテープ２０５とを含んでいる。このディスポチップ２００が配置された状態で、センサ部材２０２がグルコースセンサ３の下部に配置されるとともに、作用電極２０３および参照電極２０４が、それぞれ、電源部２および電圧計５と接続されている。
【００３４】
メッシュシート２０１は、約３．５μｌの純水を保持することが可能に構成されている。また、メッシュシート２０１は、ナイロン製で、実質的に伸縮性を有さず、厚みが変化しないように構成されている。具体的には、約３０μｍの太さを有するナイロン繊維を編み込んで形成されており、縦横それぞれ約３３μｍの正方形状の網目構造を有する。また、メッシュシート２０１は、約１０ｍｍの長さ、約４ｍｍの幅および約５０μｍの厚みを有している。
【００３５】
このメッシュシート２０１は、被験者の皮膚５００の抽出部位５０１と対向するように面状に接触される。また、メッシュシート２０１の抽出部位５０１と反対側の面上には、センサ部材２０２および作用電極２０３が配置されている。
【００３６】
また、センサ部材２０２のメッシュシート２０１側の面には、グルコースに対する触媒となる酵素（グルコースオキシターゼ）と、過酸化水素（Ｈ２Ｏ２）に対する触媒となる酵素（ペルオキシターゼ）と、活性酸素と反応して発色する発色色素とが塗布されている。なお、発色色素としては、たとえば、Ｎ，Ｎ−ビス（２−ヒドロキシ−３−サルフォプロピル）トリジンジカリウム塩、および、３，３’，５，５’−テトラメチルベンジリデンなどを用いることができる。
【００３７】
また、マスキングテープ２０５は、被験者の皮膚５００と参照電極２０４とが直接接触することを防止することにより、電流が皮膚５００に流れることによる被験者の痛みを軽減するために設けられている。マスキングテープ２０５は、メッシュシート２０１および参照電極２０４の下面に配置されている。また、マスキングテープ２０５には、約７ｍｍ２の開口２０５ａが設けられている。この開口２０５ａを介してメッシュシート２０１と抽出部位５０１とが接触するように構成されている。
【００３８】
また、グルコース濃度分析装置１００にディスポチップ２００が取り付けられた状態で、電源部２は、作用電極２０３および乾燥電極１を介して被験者の皮膚５００に電流（直流電流および交流電流）を印加するように構成されている。また、電源部２は、作用電極２０３および乾燥電極１をそれぞれ陰極および陽極として直流電流を皮膚５００に印加する機能を有する。
【００３９】
また、グルコースセンサ３は、センサ部材２０２の発色強度等を測定することにより、メッシュシート２０１に含まれるグルコースの量を検知している。また、電圧計５は、電源部２により作用電極２０３および乾燥電極１を介して被験者の皮膚５００に電流（交流電流）が印加される際に、乾燥電極１と参照電極２０４との間の電圧を測定するように構成されている。また、電圧計５により測定された値およびグルコースセンサ３により測定されたグルコースの量は、制御・解析部４に入力されるように構成されている。
【００４０】
また、制御・解析部４は、電圧計５から入力された電圧値を用いて抽出部位５０１のインピーダンスを算出し、そのインピーダンスに基づいて抽出部位５０１のコンダクタンスｋを算出する機能を有する。また、制御・解析部４は、グルコースセンサ３から入力されたメッシュシート２０１におけるグルコースの量と、抽出部位５０１のコンダクタンスｋに基づいて、最終的な組織液のグルコース濃度、即ち実質的な血糖値を算出するように構成されている。
【００４１】
図２は、皮膚透過促進処理として被験者の皮膚に微細な抽出孔を形成する際に用いるマイクロニードルを示した斜視図である。図３は、図２に示したマイクロニードルによる抽出孔が形成された皮膚（抽出部位）の状態を示した断面図である。次に、図２および図３を参照して、第１実施形態によるグルコース濃度分析装置１００により血糖値を測定する際の前処理としての皮膚透過促進処理について説明する。
【００４２】
ニードルローラ６００は、図２に示すように、アーム６０１と、アーム６０１に回転可能に支持される複数のローラ６０２とにより構成されている。このローラ６０２の外周面には、所定の間隔を隔てて複数の微小な針６０３が形成されている。この針６０３は、皮膚に押し当てられたときに、皮下組織まで達することはないが、皮膚の角質層を含む表皮を貫通可能な程度の突出量（約０．３ｍｍ）を有している。このニードルローラ６００を用いて前処理、すなわち、針６０３を抽出部位５０１に押し当てる処理を行うことによって、図３に示すように、皮膚の表皮を貫通して真皮に達するとともに、皮下組織にまでは達しない微細な抽出孔５０１ａが形成される。第１実施形態では、抽出孔５０１ａを形成することによって、容易に、複数の抽出孔５０１ａを介して生体からグルコースを含む組織液を抽出することができる。したがって、グルコース濃度分析装置１００を用いて生体からグルコースを抽出する際に、被験者が感じる痛みを軽減することが可能となる。なお、第１実施形態では、ニードルローラ６００として、Ｔｏｐ−Ｒｏｌ社製のダーマローラを使用している。
【００４３】
図４は、図１に示した第１実施形態によるグルコース濃度分析装置の分析動作を説明するためのフローチャートである。次に、図１〜図４を参照して、本発明の第１実施形態によるグルコース濃度分析装置１００を用いた血糖値測定の動作手順を説明する。
【００４４】
第１実施形態によるグルコース濃度分析装置１００を用いて血糖値を測定する際には、まず、ニードルローラ６００（図２参照）を用いて被験者の皮膚５００に微細な抽出孔５０１ａを形成する。具体的には、針６０３を皮膚の抽出部位５０１に押し当てることによって、図３に示したような複数の微細な抽出孔５０１ａを形成する。この抽出部位５０１の面積Ｓは、マスキングテープ２０５の開口２０５ａの面積（約７ｍｍ２）である。このニードルローラ６００を用いた前処理（皮膚透過促進処理）により形成された皮膚の抽出孔５０１ａには、皮膚の真皮中にもともと溜まっていたグルコースを含む組織液が徐々に滲み出してくる。
【００４５】
また、被験者は、ディスポチップ２００のメッシュシート２０１に純水を染み込ませた後、グルコース濃度分析装置１００にディスポチップ２００（図１参照）を装着する。この時、グルコース濃度分析装置１００においては、図４のステップＳ１において、ディスポチップ２００が装置に装着されたか否かがセンサ（図示せず）により判断される。ディスポチップ２００が装置に装着されていない場合には、この判断が繰り返される。また、ディスポチップ２００が装置に装着された場合には、ステップＳ２に進む。
【００４６】
その後、被験者は、抽出孔５０１ａが形成された抽出部位５０１と陰極（メッシュシート２０１）とが面状に接触するようにグルコース濃度分析装置１００を被験者の皮膚５００に装着する。このとき、メッシュシート２０１に含まれる純水が皮膚５００に形成された抽出孔５０１ａの内部に侵入する。そして、皮膚５００の抽出孔５０１ａに滲み出た組織液とメッシュシート２０１からの純水とが混ざり合うことにより、抽出孔５０１ａ内部の組織液がメッシュシート２０１に保持された純水中に拡散する。これにより、抽出孔５０１ａの内部の浸透圧が皮膚の真皮の浸透圧に比べて低くなるので、再び、真皮から組織液が抽出孔５０１ａに滲み出す。その結果、電源部２から電流が印加される前に、皮膚５００に形成された抽出孔５０１ａを介して滲み出た組織液がメッシュシート２０１に保持された純水中にある程度拡散された状態になる。その後、被験者は、グルコース濃度分析装置１００のボタン（入力部６）を押すことによって、測定開始の指示を行う。
【００４７】
また、グルコース濃度分析装置１００においては、ステップＳ２において、測定開始の指示があったか否かが判断される。測定開始の指示がない場合には、この判断が繰り返される。また、測定開始の指示があった場合には、ステップＳ３において、電源部２は皮膚５００に約８０μＡの直流電流を約１８０秒間印加する。これにより、抽出孔５０１ａに存在する電荷を帯びたイオン成分（Ｎａ＋など）が積極的に移動する。このイオン成分の移動に伴って、グルコースセンサ３（図１参照）により検知可能な量のグルコースが、生体からメッシュシート２０１に保持された純水中に収集される。また、純水中に収集されたグルコースは、メッシュシート２０１の上面に配置されたセンサ部材２０２に到達する。
【００４８】
次に、グルコース濃度分析装置１００においては、ステップＳ４において、メッシュシート２０１に吸収された純水に抽出されたグルコースの抽出速度（単位時間当たりの抽出量）が測定される。
【００４９】
具体的には、センサ部材２０２に到達したグルコースは、グルコースオキシターゼを触媒として反応し、その結果生成される過酸化水素（Ｈ２Ｏ２）がさらにペルオキシターゼを触媒として反応する。その結果、活性酸素が生成される。センサ部材２０２に塗布されている発色色素は、活性酸素と反応して発色する。したがって、発色色素は、生体から抽出されたグルコースの量に応じた強度で発色することになる。
【００５０】
一方、グルコースセンサ３の半導体レーザから照射されたレーザ光のうち、純水を含んだメッシュシート２０１に接触しているセンサ部材２０２を通過する光の強度は、生体から抽出されたグルコースの量に応じて発色する発色色素の光の強度によって変化する。
【００５１】
この結果、グルコースセンサ３のフォトダイオードには、センサ部材２０２に到達したグルコースの量に応じた強度の光が入射し、入射した光の強度に応じた信号が出力される。そして、グルコースセンサ３のフォトダイオードから出力される信号に基づいて、制御・解析部４によりグルコース抽出量が算出される。制御・解析部４は、得られたグルコース抽出量を、電源部２が直流電流を印加した時間（すなわち、約１８０秒間）で割ることによって、グルコース抽出速度Ｊを算出する。
【００５２】
また、グルコース濃度分析装置１００においては、ステップＳ５において、グルコースの抽出のための直流電流の印加を停止した後、約１０秒間待機する。すなわち、直流電流を印加した直後ではメッシュシート２０１の作用電極２０３近傍にＮａ＋などのイオンが局在しているため、約１０秒間待機することにより、Ｎａ＋などのイオンが拡散してメッシュシート２０１内に均一化した状態にする。
【００５３】
次に、グルコース濃度分析装置１００においては、ステップＳ６において、電源部２は皮膚５００に約０±３０μＡの交流電流（約５００Ｈｚ）を印加する。この時、電圧計５による測定値（抽出部位５０１のインピーダンス）が制御・解析部４に入力される。
【００５４】
そして、グルコース濃度分析装置１００においては、ステップＳ７において、ステップＳ６において得た電圧計５による測定値（抽出部位５０１のインピーダンス）に基づいて抽出部位５０１のコンダクタンスが算出される。すなわち、電圧計５による測定値は、抽出部位５０１の降下電圧と部位５０２の降下電圧の和に近似することができる。また、交流電流の周波数が高い（約１００Ｈｚ以上）場合には、抽出部位５０１のインピーダンスと比較して、部位５０２のインピーダンスが小さくなるため、電圧計５による測定値を抽出部位５０１の降下電圧に近似することができる。制御・解析部４は、この抽出部位５０１のインピーダンスの逆数を抽出部位５０１のコンダクタンスｋとして算出する。
【００５５】
次に、グルコース濃度分析装置１００においては、ステップＳ８において、グルコース濃度（血糖値）を算出する。すなわち、血糖値Ｃ、グルコース抽出速度Ｊ、抽出部位５０１の面積Ｓおよびグルコースの皮膚５００（抽出部位５０１）に対する透過率Ｐの間には、以下の式（１）が成り立つ。
【００５６】
Ｊ＝Ｓ×Ｃ×Ｐ  ・・・（１）
したがって、血糖値Ｃは、以下の式（２）のように表される。
【００５７】
Ｃ＝Ｊ／（Ｓ×Ｐ）  ・・・（２）
ここで、グルコース透過率Ｐと上記ステップＳ６において算出された抽出部位５０１のコンダクタンスｋには、所定の関係式が成り立つことが上述した特許文献１において実験的に求められており、この関係式に基づいて、グルコース透過率Ｐが算出される。また、グルコース抽出速度Ｊは、上記ステップＳ４において得られており、抽出部位５０１の面積Ｓはマスキングテープ２０５の開口２０５ａの面積（約７ｍｍ２）であることから、上記式（２）に基づいて、血糖値Ｃが算出される。また、算出された血糖値は、表示部７に表示される。以上のようにして、第１実施形態によるグルコース濃度分析装置１００による血糖値の分析が行われる。
【００５８】
次に、グルコースを含む組織液を保持する媒体として純水を用いることによる効果を検証した比較実験について説明する。
【００５９】
この比較実験では、複数の被験者のそれぞれに対してグルコース濃度分析装置１００により、上記第１実施形態と同様の測定手順でグルコース抽出速度Ｊおよびコンダクタンスｋを複数回測定した。また、同様の被験者について、第１実施形態によるグルコース濃度分析装置１００とは異なる他の血糖値測定装置（ニプロフリースタイル（ニプロ株式会社製））を用いて血糖値Ｃを測定した。そして、この血糖値Ｃ、グルコース抽出速度Ｊおよび面積Ｓから上記式（１）を用いて透過率Ｐを算出した。そして、互いに対応するコンダクタンスｋおよびグルコース透過率Ｐのデータ（ｋ、Ｐ）を、コンダクタンスｋおよび透過率Ｐをそれぞれ横軸および縦軸とする座標上にプロットした。
【００６０】
また、この比較実験では、上記実験を複数のそれぞれ異なるＮａＣｌ濃度を有する媒体（実施例１〜４および比較例１）を染み込ませたメッシュシート２０１を用いて行った。実施例１〜４および比較例１の媒体のＮａＣｌ濃度を以下の表１に示す。なお、実施例１は、上記第１実施形態による媒体である低導電性媒体の一例としての純水を用いており、比較例１は、従来の媒体である生理食塩水を用いた。また、実施例２〜４は、低導電性媒体の他の例を示している。
【００６１】
【表１】
2008237271.tif 000003
表１に示すように、ＮａＣｌ濃度が０ｍＭである実施例１（純水）は、０（μＳ（ジーメンス）／ｃｍ）の導電率および１８３００（ＫΩ・ｃｍ）の抵抗率を有する。また、ＮａＣｌ濃度が0．５ｍＭである実施例２は、５９．７２（μＳ／ｃｍ）の導電率および１６．７４５（ＫΩ・ｃｍ）の抵抗率を有する。また、ＮａＣｌ濃度が１ｍＭである実施例３は、１１９．４４（μＳ／ｃｍ）の導電率および８．３７２（ＫΩ・ｃｍ）の抵抗率を有する。また、ＮａＣｌ濃度が５ｍＭである実施例４は、５９７．２（μＳ／ｃｍ）の導電率および１．６７４（ＫΩ・ｃｍ）の抵抗率を有する。また、ＮａＣｌ濃度が１５４ｍＭである比較例１（生理食塩水）は、１８３９３．７６（μＳ／ｃｍ）の導電率および０．０５４（ＫΩ・ｃｍ）の抵抗率を有する。
【００６２】
これらの実施例１〜４および比較例１のそれぞれについて上記実験を行った際の実験結果を図５〜図９に示す。図５〜図９に示すように、コンダクタンスｋと透過率Ｐとは比例関係にある（相関している）ことがわかる。なお、図５〜図９に示される直線は、最小２乗法により求めた各点（ｋ、Ｐ）との差が最小となる直線（回帰直線）である。たとえば、図５では、Ｐ＝１１２．８４ｋ＋２．６７９３で表される。また、図５〜図９のＲ２は、いわゆる相関係数であり、コンダクタンスｋとグルコース透過率Ｐとの相関の強さを表している。相関係数Ｒ２は、コンダクタンスｋとグルコース透過率Ｐとが正比例の関係にある場合には、０〜１までの値をとり、１に近い値であるほど相関が高いことを示す。複数の点（ｋ、Ｐ）の全てが同一直線上にある場合に、相関係数は１となる。図５に示すように、実施例１では、相関係数がＲ２＝０．８５５４であり、コンダクタンスｋとグルコース透過率Ｐとの相関が高いことがわかる。また、図９に示すように、比較例１では、相関係数がＲ２＝０．１７０５であり、コンダクタンスｋとグルコース透過率Ｐとの相関が低いことがわかる。また、図６〜図８に示すように、実施例２〜４では、相関係数はそれぞれ、Ｒ２＝０．５８０９、Ｒ２＝０．６９３９、Ｒ２＝０．３３０１であり、比較例１よりもコンダクタンスｋとグルコース透過率Ｐとの相関が高いことがわかる。
【００６３】
次に、実施例１〜４および比較例１の実験結果について、測定誤差を求めた。図５を参照して、実施例１の場合について具体的に説明する。まず、各点（ｋ、Ｐ）のグルコース透過率Ｐ（真の透過率）を回帰直線（図５では、（ｋ、１１２．８４ｋ＋２．６７９３））上のグルコース透過率（推定透過率）で割り、１００を掛けることにより、各点のグルコース透過率（真の透過率）の推定透過率に対する乖離率を算出する。すなわち、乖離率は以下の式（３）のように表される。
【００６４】
乖離率＝（真の透過率／推定透過率）×１００＝（Ｐ／（１１２．８４ｋ＋２．６７９３））×１００  ・・・（３）
その後、各点の乖離率から標準偏差および平均値を算出し、以下の式（４）により測定誤差を算出する。
【００６５】
測定誤差＝（標準偏差／平均値）×１００  ・・・（４）
実施例１〜４および比較例１について、以上にようにして測定誤差を算出した。その算出結果を以下の表２および図１０に示す。
【００６６】
【表２】
2008237271.tif 000004
表２に示すように、実施例１の測定誤差は、９．３４０５７であり、実施例２の測定誤差は、１５．２１５９であった。また、実施例３の測定誤差は、１８．１４３であり、実施例４の測定誤差は、１８．８５７１であった。比較例１の測定誤差は、２４．０２７２であるので、実施例１〜４の測定誤差は、比較例１の測定誤差よりも改善されていることが判明した。また、表２および図１０に示すように、ＮａＣｌ濃度を小さくするにしたがって、測定誤差も小さくなっている。特に、実施例１（純水）では、比較例１（生理食塩水）と比較して、大幅に測定誤差が小さくなっていることがわかる。
【００６７】
次に、上記実験結果が得られたメカニズムを考察する。図１１および図１２は、それぞれ、組織液を保持するための媒体として純水（実施例１）および生理食塩水（比較例１）を用いた場合の媒体におけるイオンの挙動を説明するための概念図である。
【００６８】
被験者の皮膚（抽出部位）から抽出される組織液には、グルコースのみならず、ナトリウムイオン（Ｎａ＋）も含まれている。グルコースを抽出するために直流電流が印加されると、電場が形成されることにより電極（Ａｇ／ＡｇＣｌ）および皮膚（抽出部位）からそれぞれクロライドイオン（Ｃｌ−）およびナトリウムイオン（Ｎａ＋）が強制的に拡散される。ナトリウムイオンが強制拡散されることに伴い、グルコースも移動するので、媒体中にグルコースを含む組織液が抽出される。このように、グルコースの抽出メカニズムには、ナトリウムイオンの挙動が密接に関わっていると考えられる。
【００６９】
このクロライドイオンおよびナトリウムイオンが電荷を運ぶことにより電流が流れる。この時、クロライドイオンを媒体として流れる電流の割合をクロライドイオンの輸率ｔＣｌとし、ナトリウムイオンを媒体として流れる電流の割合をナトリウムイオンの輸率ｔＮａ（ｔＣｌ＋ｔＮａ＝１）とする。
【００７０】
図１１に示すように、媒体が純水の場合（実施例１）には、純水中にクロライドイオン（Ｃｌ−）およびナトリウムイオン（Ｎａ＋）は含まれていないので、電極からクロライドイオン（Ｃｌ−）が媒体中に拡散すると、媒体中の電気的な中性を保つために、皮膚からナトリウムイオン（Ｎａ＋）が拡散する。このように、ナトリウムイオンは皮膚から一方的に拡散するので、皮膚（抽出部位）近傍におけるナトリウムイオンの輸率ｔＮａは皮膚の状態（微細孔の深さ、大きさなど）の影響を比較的受けずに高い値（ｔＮａ＝１）で安定すると考えられる。このようにグルコースの抽出を担うナトリウムイオンの挙動が皮膚の状態の影響を受けずに安定するので、実施例１では、グルコース透過率Ｐと皮膚の状態を反映するコンダクタンスｋとの相関が良くなったと考えられる。
【００７１】
また、図１２に示すように、媒体が生理食塩水の場合（比較例１）には、クロライドイオン（Ｃｌ−）およびナトリウムイオン（Ｎａ＋）が多量に含まれている。このため、電極からクロライドイオン（Ｃｌ−）が媒体中に拡散した場合に、媒体中の電気的な中性を保つために、皮膚からナトリウムイオン（Ｎａ＋）が拡散する場合と、媒体中のクロライドイオン（Ｃｌ−）が皮膚内に入る場合との２つの場合が考えられる。このため、媒体として生理食塩水を用いた場合には、皮膚の状態（微細孔の深さ、大きさなど）によって、皮膚（抽出部位）近傍におけるナトリウムイオンの輸率ｔＮａが低い値（ｔＮａ＝０．７）でばらつきが生じると考えられる。このようにグルコースの抽出を担うナトリウムイオンの挙動が皮膚の状態の影響によりばらつくので、比較例１では、グルコース透過率Ｐと皮膚の状態を反映するコンダクタンスｋとの相関が悪くなったと考えられる。
【００７２】
第１実施形態では、上記のように、グルコースを含む組織液を保持するための媒体として純水を用いることによって、抵抗率が約０．０５４と低い生理食塩水などの導電性の媒体を用いる場合と比較して、グルコースの抽出部位５０１に対する透過率と抽出部位５０１のコンダクタンスとの相関を大幅に良くすることができる。これにより、抽出部位５０１のコンダクタンスを測定することによって、グルコースの抽出部位５０１に対する透過率をより精度良く推定することができる。
【００７３】
また、第１実施形態では、上記のように、前処理として、抽出部位５０１に微細孔（抽出孔５０１ａ）を形成することによって、抽出部位５０１を介して組織液をメッシュシート２０１内の純水中に容易に抽出することができる。
【００７４】
また、第１実施形態では、上記のように、作用電極２０３および乾燥電極１間のみに交流を印加することにより、比較的簡単な構成で、かつ、比較的短い測定時間で抽出部位５０１のコンダクタンスを測定することができる。
【００７５】
また、第１実施形態では、上記のように、純水を保持する媒体として、容積が約３．５μｌで、約１０ｍｍの長さ、約４ｍｍの幅および約５０μｍの厚みを有する比較的小さいメッシュシート２０１を用いることによって、比較的容積が大きい媒体を用いる場合と比較して、比較的短時間待機することにより、イオンが作用電極２０３近傍に局在した組織液の抽出直後の状態から、イオンが拡散によりメッシュシート２０１に均一化した状態にすることができる。これにより、速やかに作用電極２０３および乾燥電極１に通電を開始して、コンダクタンスを得ることができる。
【００７６】
（第２実施形態）
図１３は、本発明の第２実施形態によるグルコース濃度分析装置の構成を示すブロック図である。この第２実施形態では、上記第１実施形態と異なり、コンダクタンスを算出するコンダクタンス測定装置とグルコースの濃度を算出する濃度分析装置とを分割した例について説明する。まず、図１３を参照して、本発明の第２実施形態によるグルコース濃度分析装置３００の構造を説明する。
【００７７】
第２実施形態によるグルコース濃度分析装置３００は、被験者の皮膚５００に取り付けられ、抽出部位５０１のコンダクタンスを算出するとともに、メッシュシート２０１にグルコースを抽出するコンダクタンス測定装置３００ａと、グルコースを含んだメッシュシート２０１からグルコース抽出速度を算出するとともに、コンダクタンス測定装置３００ａで算出されたコンダクタンスとグルコース抽出速度からグルコースの濃度（血糖値）を算出する濃度分析装置３００ｂとからなる。
【００７８】
コンダクタンス測定装置３００ａの構造は、上記第１実施形態のグルコース濃度分析装置１００の構造からグルコースセンサ３を除いている点以外は同様であるので、説明を省略する。なお、コンダクタンス測定装置３００ａにおいてグルコースの抽出が行われる際には、上記第１実施形態と同様に、ディスポチップ２００ａが抽出部位５０１に配置される。なお、第２実施形態のディスポチップ２００ａは、上記第１実施形態のディスポチップ２００からセンサ部材２０２が除かれた構成を有する。
【００７９】
また、濃度分析装置３００ｂは、コンダクタンス測定装置３００ａにおいて得られたグルコースを含んだメッシュシート２０１を受け入れるための受け部３０１と、メッシュシート２０１からグルコース抽出量を測定するためのグルコースセンサ３０２と、グルコースセンサ３０２により得られたグルコース抽出量からグルコース抽出速度を算出する制御・解析部３０３と、濃度分析装置３００ａに分析の開始を指示するためのボタンなどからなる入力部３０４と、分析結果などを表示するための表示部３０５とを備えている。また、濃度分析装置３００ｂにおいてグルコース濃度の分析が行われる際には、上記第１実施形態のセンサ部材２０２と同様に構成されたセンサ部材３０６が、受け部３０１のグルコースセンサ３０２側に設置される。
【００８０】
また、制御・解析部３０３は、コンダクタンス測定装置３００ａの制御・解析部４と有線または無線により接続されており、コンダクタンス測定装置３００ａの制御・解析部４からコンダクタンスの値および組織液の抽出のために印加した直流電流の印加時間などを受信することが可能に構成されている。
【００８１】
図１４および図１５は、それぞれ、本発明の第２実施形態によるグルコース濃度分析装置のコンダクタンス測定装置および濃度分析装置の動作を説明するためのフローチャートである。次に、図２〜図４および図１３〜図１５を参照して、本発明の第２実施形態によるグルコース濃度分析装置３００の分析動作を説明する。
【００８２】
第２実施形態によるグルコース濃度分析装置３００を用いて血糖値を測定する際には、まず、ニードルローラ６００（図２参照）を用いて被験者の皮膚５００に抽出孔５０１ａ（図３参照）を形成する。
【００８３】
また、被験者は、グルコース濃度分析装置３００のコンダクタンス測定装置３００ａにディスポチップ２００ａを装着する。この時、コンダクタンス測定装置３００ａにおいては、図１４のステップＳ１１において、ディスポチップ２００ａが装置に装着されたか否かがセンサ（図示せず）により判断される。ディスポチップ２００ａが装置に装着されていない場合には、この判断が繰り返される。また、ディスポチップ２００ａが装置に装着された場合には、ステップＳ１２に進む。
【００８４】
その後、抽出孔５０１ａが形成された抽出部位５０１と、陰極（ディスポチップ２００ａのメッシュシート２０１）が接触するようにコンダクタンス測定装置３００ａを被験者の皮膚５００に装着する。その後、被験者は、コンダクタンス測定装置３００ａのボタン（入力部６）を押すことによって、測定開始の指示を行う。
【００８５】
また、コンダクタンス測定装置３００ａにおいては、ステップＳ１２において、測定開始の指示があったか否かが判断される。測定開始の指示がない場合には、この判断が繰り返される。また、測定開始の指示があった場合には、ステップＳ１３において、上記第１実施形態のステップＳ３（図４参照）と同様に、直流電流が皮膚５００に印加される。これにより、メッシュシート２０１にグルコースが抽出される。
【００８６】
また、コンダクタンス測定装置３００ａにおいては、ステップＳ１４において、グルコースの抽出のための直流電流の印加を停止した後、上記第１実施形態のステップＳ５（図４参照）と同様に、約１０秒間待機する。これにより、Ｎａ＋などのイオンがメッシュシート２０１内の純水中に均質化した状態となる。
【００８７】
その後、コンダクタンス測定装置３００ａにおいては、ステップＳ１５およびＳ１６において、上記第１実施形態のステップＳ６およびＳ７（図４参照）と同様に、交流電流が皮膚に印加されるとともに、抽出部位５０１のコンダクタンスが算出される。
【００８８】
この後、コンダクタンス測定装置３００ａにおいては、ステップＳ１７において、上記ステップＳ１６において算出された抽出部位５０１のコンダクタンスが、コンダクタンス測定装置３００ａの制御・解析部４から濃度分析装置３００ａの制御・解析部３０３に送信される。これにより、コンダクタンス測定装置３００ａの動作は終了する。
【００８９】
そして、被験者は、コンダクタンス測定装置３００ａからディスポチップ２００ａを取り外すとともに、濃度分析装置３００ｂに設置する。
【００９０】
まず、濃度分析装置３００ｂにおいては、ステップＳ２１において、センサ部材３０６が設置されたか否かが判断される。センサ部材３０６が設置されない場合には、この判断が繰り返される。また、センサ部材３０６が設置された場合には、ステップＳ２２に進む。
【００９１】
次に、濃度分析装置３００ｂにおいては、ステップＳ２２において、ディスポチップ２００ａが設置されたか否かが判断される。ディスポチップ２００ａが設置されない場合には、この判断が繰り返される。また、ディスポチップ２００ａが設置された場合には、ステップＳ２３に進む。
【００９２】
また、被験者は、ディスポチップ２００ａを濃度分析装置３００ｂに設置した後、ボタンなどからなる入力部３０４を操作することにより測定開始の指示を行う。この時、濃度分析装置３００ａにおいては、ステップＳ２３において、測定開始の指示があったか否かが判断される。測定開始の指示がない場合には、この判断が繰り返される。また、測定開始の指示があった場合には、ステップＳ２４において、上記第１実施形態のステップＳ４（図４参照）と同様に、グルコースセンサ３０２のフォトダイオードから出力される信号に基づいて、制御・解析部３０３によりグルコース抽出量が算出される。
【００９３】
次に、濃度分析装置３００ｂにおいては、ステップＳ２５において、コンダクタンス測定装置３００ａから抽出部位５０１のコンダクタンスなどの情報を受信したか否かが判断される。情報を受信しない場合には、この判断が繰り返される。また、情報を受信した場合には、ステップＳ２６に進む。なお、コンダクタンスなどの情報には、上記ステップＳ１３（図１４参照）においてグルコースの抽出の際に印加した直流電流の印加時間が含まれている。
【００９４】
次に、濃度分析装置３００ｂにおいては、ステップＳ２６において、グルコース濃度（血糖値）の算出が行われる。すなわち、制御・解析部３０３は、上記ステップＳ２４において得られたグルコース抽出量を、上記ステップＳ２５において受信した直流電流の印加時間で割ることによって、グルコース抽出速度Ｊを算出する。そして、制御・解析部３０３は、グルコース抽出速度Ｊおよび抽出部位５０１のコンダクタンスｋに基づいて、組織液のグルコース濃度（血糖値Ｃ）を算出する。
【００９５】
第２実施形態においても、上記第１実施形態と同様に、グルコースを保持する媒体として純水を用いることによって、コンダクタンスとグルコース透過率との相関を良くすることができる。これにより、より精度良く血糖値を算出することができる。
【００９６】
また、第２実施形態では、上記のように、被験者の皮膚に取り付けられて、コンダクタンスの測定およびグルコースの抽出を行うコンダクタンス測定装置３００ａと、グルコースの抽出量を取得するためのグルコースセンサ３０２を備えた濃度分析装置３００ｂとを分離することによって、グルコースの抽出量を測定する際に必要なセンサ部材３０６に含まれるグルコースオキシダーゼ、ペルオキシターゼおよび発色色素などの物質が被験者の皮膚に触れることを抑制することができる。これにより、被験者の安全性を高めることができる。
【００９７】
第２実施形態のその他の効果は、上記第１実施形態と同様である。
【００９８】
（第３実施形態）
図１６は、本発明の第3実施形態によるグルコース濃度分析装置の構成を示すブロック図である。第３実施形態では、上記第１および第２実施形態と異なり、直流電流によりコンダクタンスを測定する例を説明する。まず、図１６を参照して、本発明の第３実施形態によるグルコース濃度分析装置４００の構造を説明する。
【００９９】
図１６に示すように、第３実施形態によるグルコース濃度分析装置４００は、被験者の皮膚５００の抽出部位５０１に配置されるチャンバー４０１と、チャンバー４０１に純水を供給するためのシリンジ４０２と、チャンバー４０１に設けられたグルコースセンサ４０３と、チャンバー４０１に配置される電極４０４と、皮膚５００の抽出部位５０１以外の部位５０２および部位５０３にそれぞれ配置される電極４０５および４０６とを備えている。また、グルコース濃度分析装置４００は、電極４０４〜４０６を介して皮膚５００に直流電流を印加するための電源部４０７と、通電パターンを切り替えるためのスイッチ回路４０８と、電源部４０７の出力を測定するための電圧計４０９と、グルコースセンサ４０３、電源部４０７およびスイッチ回路４０８などを制御するための制御・解析部４１０と、入力部４１１と、表示部４１２とをさらに備えている。
【０１００】
また、チャンバー４０１は、約８０μｌの純水を収容可能に構成されている。チャンバー４０１に供給された純水は、抽出部位５０１から抽出されたグルコースを含む組織液を保持する機能を有する。グルコースセンサ４０３は、上記第１実施形態のグルコースセンサ３とセンサ部材２０２とから構成されている。このグルコースセンサ４０３により、チャンバー４０１の純水中に保持されたグルコース量が測定される。このグルコース量は、制御・解析部４１０に入力される。
【０１０１】
また、スイッチ回路４０８は、電極４０４、電極４０５および皮膚５００を介して通電する第１通電パターンと、電極４０４、電極４０６および皮膚５００を介して通電する第２通電パターンと、電極４０５、電極４０６および皮膚５００を介して通電する第３通電パターンとに切り替えることが可能である。
【０１０２】
また、電圧計４０９は、スイッチ回路４０８によって切り替えられたそれぞれの通電パターンにおける電圧値を測定するために設けられている。この電圧値は、制御・解析部４１０に入力される。また、制御・解析部４１０は、この電圧値に基づいて、抽出部位５０１の抵抗Ｒａを算出するとともに、算出した抵抗Ｒａに基づいて抽出部位５０１のコンダクタンスを算出するように構成されている。
【０１０３】
また、入力部４１１および表示部４１２は、それぞれ、上記第１実施形態の入力部６および表示部７と同様の構成であるので、詳細な説明を省略する。
【０１０４】
図１７〜図１９は、それぞれ、図１６に示したグルコース濃度分析装置の第１通電パターン、第２通電パターンおよび第３通電パターンを説明するための等価回路図である。次に、図１７〜図１９を参照して、第３実施形態によるグルコース濃度分析装置４００のコンダクタンスの測定原理について説明する。
【０１０５】
図１７に示すように、第１通電パターンにおいて、電圧計４０９の出力値は、抽出部位５０１と部位５０２との間の抵抗値Ｒａｂとなる。また、抽出部位５０１と部位５０２との間の抵抗値Ｒａｂは、抽出部位５０１の抵抗値Ｒａと、部位５０２の抵抗値Ｒｂと、皮膚５００（抽出部位５０１、部位５０２および部位５０３）よりも体内側の組織の抵抗値Ｒｄとの和で表される。この抵抗値Ｒａｂは、以下の式（５）のように表される。
【０１０６】
Ｒａｂ＝Ｒａ＋Ｒｂ＋Ｒｄ  ・・・（５）
ここで、皮膚５００よりも体内側の組織の抵抗は、皮膚５００の抵抗よりも十分に小さいので、Ｒｄ＜＜Ｒａ＋Ｒｂ、および、２Ｒｄ＜＜Ｒａ＋Ｒｂが成り立つ。したがって、上記式（５）は、以下の式（６）のように近似することができる。
【０１０７】
Ｒａｂ＝Ｒａ＋Ｒｂ  ・・・（６）
また、図１８に示すように、第２通電パターンにおいて、電圧計４０９の出力値は、抽出部位５０１と部位５０３との間の抵抗値Ｒａｃとなる。この抵抗値Ｒａｃは、上記第１通電パターンの場合と同様に、以下の式（７）のように近似することができる。
【０１０８】
Ｒａｃ＝Ｒａ＋Ｒｃ＋２Ｒｄ＝Ｒａ＋Ｒｃ  ・・・（７）
また、図１９に示すように、第３通電パターンにおいて、電圧計４０９の出力値は、部位５０２と部位５０３との間の抵抗値Ｒｂｃとなる。この抵抗値Ｒｂｃは、上記第１通電パターンの場合と同様に、以下の式（８）のように近似することができる。
【０１０９】
Ｒｂｃ＝Ｒｂ＋Ｒｃ＋Ｒｄ＝Ｒｂ＋Ｒｃ  ・・・（８）
上記式（６）、（７）および（８）から、抽出部位５０１の抵抗Ｒａは、以下の式（９）のように表される。
【０１１０】
Ｒａ＝（Ｒａｂ＋Ｒａｃ−Ｒｂｃ）／２  ・・・（９）
このように抽出部位５０１の抵抗Ｒａは、第１通電パターン、第２通電パターンおよび第３通電パターンのそれぞれにおける電圧計の出力値から算出することが可能である。また、抽出部位５０１のコンダクタンスｋは、抽出部位５０１の抵抗Ｒａの逆数であり、以下の式（１０）のように表される。
【０１１１】
ｋ＝１／Ｒａ  ・・・（１０）
このようにして、第３実施形態によるグルコース濃度分析装置４００におけるコンダクタンスの算出が行われる。
【０１１２】
図２０は、第３実施形態によるグルコース濃度分析装置４００の分析動作を説明するためのフローチャートである。次に、図３、図４および図１６〜図２０を参照して、グルコース濃度分析装置４００の分析動作を説明する。
【０１１３】
第３実施形態によるグルコース濃度分析装置４００を用いて血糖値を測定する際には、まず、被験者は、上記第１実施形態と同様に、抽出部位５０１に前処理として抽出孔５０１ａ（図３参照）を形成する。
【０１１４】
その後、被験者は、抽出孔５０１ａが形成された抽出部位５０１にチャンバー４０１が配置されるように、グルコース濃度分析装置４００を被験者の皮膚５００に装着する。そして、シリンジ４０２により、チャンバー内に純水を約８０μｌ分供給する。その後、被験者は、グルコース濃度分析装置４００のボタン（入力部４１１）を押すことによって、測定開始の指示を行う。
【０１１５】
また、グルコース濃度分析装置４００においては、図２０のステップＳ３１において、測定開始の指示があったか否かが判断される。測定開始の指示がない場合には、この判断が繰り返される。また、測定開始の指示があった場合には、ステップＳ３２において、電源部４０７は、電極４０４および電極４０５をそれぞれ陰極および陽極として、皮膚５００に約８０μＡの直流（ＤＣ）電流を約１８０秒間印加する。これにより、抽出部位５０１を介して、グルコースがチャンバー４０１に保持された純水中に収集される。また、純水中に収集されたグルコースは、チャンバー４０１の上面に配置されたグルコースセンサ４０３のセンサ部材（図示せず）に到達する。
【０１１６】
次に、グルコース濃度分析装置４００においては、ステップＳ３３において、上記第１実施形態のステップＳ４（図４参照）と同様に、グルコースセンサ４０３によりチャンバー４０１に抽出されたグルコースの抽出速度Ｊ（単位時間当たりの抽出量）が測定される。
【０１１７】
また、グルコース濃度分析装置４００においては、ステップＳ３４において、グルコースの抽出のための直流電流の印加を停止した後、約６分間待機する。すなわち、第３実施形態では、チャンバー４０１内の純水の量が比較的多いため、上記第１実施形態の待機時間（約１０秒）よりも長い時間待機する。これにより、チャンバー４０１内にイオンが均一化した状態となる。
【０１１８】
次に、グルコース濃度分析装置４００においては、ステップＳ３５において、スイッチ回路４０８により第１通電パターン（図１７参照）に切り替えるとともに、電源部２は皮膚５００に約８０μＡの直流電流を印加する。この時、電圧計４０９による測定値（抵抗値Ｒａｂ）が制御・解析部４１０に入力される。
【０１１９】
次に、グルコース濃度分析装置４００においては、ステップＳ３６において、スイッチ回路４０８により第２通電パターン（図１８参照）に切り替えるとともに、電源部２は皮膚５００に約８０μＡの直流電流を印加する。この時、電圧計４０９による測定値（抵抗値Ｒａｃ）が制御・解析部４１０に入力される。
【０１２０】
次に、グルコース濃度分析装置４００においては、ステップＳ３７において、スイッチ回路４０８により第３通電パターン（図１９参照）に切り替えるとともに、電源部２は皮膚５００に約８０μＡの直流電流を印加する。この時、電圧計４０９による測定値（抵抗値Ｒｂｃ）が制御・解析部４１０に入力される。
【０１２１】
次に、グルコース濃度分析装置４００においては、ステップＳ３８において、制御・解析部４１０により、上記式（９）および（１０）により抽出部位５０１の抵抗値Ｒａが算出されるとともに、抵抗値Ｒａの逆数であるコンダクタンスｋが算出される。また、コンダクタンスｋに基づいて、グルコースの皮膚（抽出部位５０１）に対する透過率Ｐが算出される。
【０１２２】
次に、グルコース濃度分析装置４００においては、ステップＳ３９において、制御・解析部４１０により、グルコース濃度（血糖値）が算出される。すなわち、上記ステップＳ３３で得られたグルコース抽出速度Ｊ、上記ステップＳ３８で得られたグルコース透過率Ｐおよび抽出部位５０１の面積Ｓと、上記式（２）とに基づいて、グルコース濃度Ｃが算出される。この後、算出されたグルコース濃度（血糖値）が表示部４１２に表示される。第３実施形態では、以上のようにしてグルコース濃度が算出される。
【０１２３】
第３実施形態においても、上記第１実施形態と同様に、グルコースを保持する媒体として純水を用いることによって、コンダクタンスとグルコース透過率との相関を良くすることができる。これにより、より精度良く血糖値を算出することができる。
【０１２４】
第３実施形態では、上記のように、３つの電極４０４、４０５および４０６を用いて、３つの通電パターンにおいて直流電流を印加することにより抽出部位５０１のコンダクタンスを測定することによって、上記第１および第２実施形態のように交流電流によりコンダクタンスを測定する場合と比較して、コンダクタンスを安定して測定することができる。
【０１２５】
なお、今回開示された実施形態および実施例は、すべての点で例示であって制限的なものではないと考えられるべきである。本発明の範囲は、上記した実施形態および実施例の説明ではなく特許請求の範囲によって示され、さらに特許請求の範囲と均等の意味および範囲内でのすべての変更が含まれる。
【０１２６】
たとえば、上記第１〜第３実施形態では、ＮａＣｌ濃度が０ｍＭの純水を用いた例を示したが、本発明はこれに限らず、ＮａＣｌ濃度が５ｍＭ以下の低導電性媒体である食塩水を用いてもよい。
【０１２７】
また、上記第１〜第３実施形態では、電源部の電流を制御して、陰極と陽極との間の電圧を計測することにより陰極のインピーダンスを求めた例を示したが、本発明はこれに限らず、電源部の電圧を制御して、陰極と陽極との電流を計測することにより陰極のインピーダンスを求めてもよい。
【０１２８】
また、上記第１および第２実施形態では、電源部の交流電流の周波数を約５００Ｈｚとした例を示したが、本発明はこれに限らず、５００Ｈｚ以外の周波数であってもよい。この周波数を適宜選択することにより、測定誤差を少なくすることができる。
【０１２９】
また、上記第１〜第３実施形態では、グルコースを抽出した後、所定の時間待機することにより、Ｎａ＋などのイオンの局在した状態を解消する例を示したが、本発明はこれに限らず、ピペッティングを行うか、または、スターラーなどにより積極的に攪拌してもよい。これにより、より早くイオンを均一化することができる。
【０１３０】
また、上記第１〜第３実施形態では、皮膚透過促進処理として、ニードルローラ６００により皮膚に微細孔（抽出孔５０１ａ）を形成した例を示したが、本発明はこれに限らず、皮膚の抽出部位に超音波を照射して、皮膚のバリア機能を低下させることにより受動拡散を促進させてもよいし、皮膚の抽出部位に組織液の経皮移動を促進するためのエンハンサーであるアルコールや界面活性剤などを付与してもよい。また、レーザーを皮膚に照射して皮膚のバリア機能を低下させてもよい。
【０１３１】
また、上記第１〜第３実施形態では、ニードルローラ６００により微細孔（抽出孔５０１ａ）を形成した（皮膚透過促進処理を施した）抽出部位５０１を介してグルコースを含む組織液を抽出した例を示したが、本発明はこれに限らず、微細孔を形成しない（皮膚透過促進処理を施さない）抽出部位から組織液を抽出してもよい。
【０１３２】
また、上記第１〜第３実施形態では、直流電流を皮膚に印加することにより、グルコースを含む組織液の抽出を促進させる例を示したが、本発明はこれに限らず、直流電流を皮膚に印加することなく、受動拡散によりグルコースを抽出してもよい。この受動拡散による抽出の場合にも、組織液を保持する媒体として純水を用いることにより、コンダクタンスと皮膚透過率との相関を良くすることができる。
【０１３３】
また、上記第１および第２実施形態では、媒体収容部としてメッシュシートを用いる例について説明したが、本発明はこれに限らず、媒体収容部としてシート状の紙片を用いてもよいし、シート状でない紙片やナイロンなどを用いてもよい。また、ポリアクリル酸などからなる非導電性のゲルを板状部材に貼り付けた収集媒体を用いてもよい。また、電極と皮膚とを近づける観点から、媒体収容部はシート状であることが好ましい。電極と皮膚とを近づけることによって、分析物の抽出速度を増加させることができる。
【０１３４】
また、上記第１および第２実施形態では、約５０μｍの厚みを有するメッシュシートを用いた例を示したが、本発明はこれに限らず、メッシュシートの厚みは約５００μｍ以下であればよい。
【０１３５】
また、上記第１〜第３実施形態では、本発明を、生体からグルコースを抽出して血糖値を算出するグルコース濃度分析装置に適用する例について説明したが、本発明はこれに限らず、生体からグルコース以外の他の分析物の濃度を分析する成分濃度分析装置に本発明を適用してもよい。本発明を適用可能な成分濃度分析装置が抽出する分析物としては、たとえば、生化学成分や被験者に投与された薬剤などが挙げられる。生化学成分としては、生化学成分の一種であるたんぱく質の、アルブミン、グロブリンおよび酵素などが挙げられる。また、たんぱく質以外の生化学成分として、クレアチニン、クレアチン、尿酸、アミノ酸、フルクトース、ガラクトース、ペントース、グリコーゲン、乳酸、ピルビン酸およびケトン体などが挙げられる。また、薬剤としては、ジギタリス製剤、テオフィリン、不整脈用剤、抗てんかん剤、アミノ酸糖体抗生物質、グリコペプチド系抗生物質、抗血栓剤および免疫抑制剤などが挙げられる。
【０１３６】
また、上記第１〜第３実施形態のグルコース濃度分析装置、または、生体からグルコース以外の他の分析物を抽出する成分濃度分析装置に本発明を適用した場合において、ＨＰＬＣ（Ｈｉｇｈ  Ｐｅｒｆｏｒｍａｎｃｅ  Ｌｉｑｕｉｄ  Ｃｈｒｏｍａｔｏｇｒａｐｈｙ）法等の他の測定法を用いてたんぱく質またはたんぱく質以外の生化学成分および薬剤を分析するように制御・解析部などを構成してもよい。
【０１３７】
また、上記第１〜第３実施形態では、ニードルローラ６００を用いて被験者の皮膚５００に抽出孔５０１ａを形成する例を示したが、本発明はこれに限らず、図２１および図２２に示す変形例による穿刺具７００を使用することもできる。穿刺具７００は、滅菌処理された微細針チップ８００（図２２参照）を装着して、その微細針チップ８００の微細針８１０を生体の皮膚（たとえば、人体の皮膚）に当接させることによって、生体の皮膚に体液の抽出孔（微細孔）を形成する装置である。より具体的には、穿刺具７００は、ピストンを付勢するためのバネと、ピストンをバネによって付勢した状態で固定する固定機構を備えている。穿刺具７００を使用する際には、ピストン下部に微細針チップ８００を装着した状態で、穿刺具７００を被験者の皮膚にセットする。その後、ボタン部７１０を押すことにより固定機構を外すと、微細針チップ８００がバネの弾性力によって皮膚に衝突する。これにより、微細孔が形成される。
【図面の簡単な説明】
【０１３８】
【図１】本発明の第１実施形態によるグルコース濃度分析装置の構成を示すブロック図である。
【図２】被験者の皮膚に微細孔を形成する際に用いるマイクロニードルを示した斜視図である。
【図３】図２に示したマイクロニードルにより微細孔が形成された皮膚の状態を示した断面図である。
【図４】図１に示したグルコース濃度分析装置の分析動作を説明するためのフローチャートである。
【図５】実施例１の場合のコンダクタンスとグルコース透過率との関係を示す特性図である。
【図６】実施例２の場合のコンダクタンスとグルコース透過率との関係を示す特性図である。
【図７】実施例３の場合のコンダクタンスとグルコース透過率との関係を示す特性図である。
【図８】実施例４の場合のコンダクタンスとグルコース透過率との関係を示す特性図である。
【図９】比較例１の場合のコンダクタンスとグルコース透過率との関係を示す特性図である。
【図１０】実施例１〜４および比較例１の場合のグルコース透過率の測定誤差を示す棒グラフである。
【図１１】本発明の効果が得られたメカニズムを考察した際の仮説を説明するための模式図である。
【図１２】本発明の効果が得られたメカニズムを考察した際の仮説を説明するための模式図である。
【図１３】本発明の第２実施形態によるグルコース濃度分析装置の構成を示すブロック図である。
【図１４】図１３に示したグルコース濃度分析装置のコンダクタンス測定装置の測定動作を説明するためのフローチャートである。
【図１５】図１３に示したグルコース濃度分析装置の濃度分析装置の分析動作を説明するためのフローチャートである。
【図１６】本発明の第3実施形態によるグルコース濃度分析装置の構成を示すブロック図である。
【図１７】図１６に示したグルコース濃度分析装置の第１通電パターンを説明するための等価回路図である。
【図１８】図１６に示したグルコース濃度分析装置の第２通電パターンを説明するための等価回路図である。
【図１９】図１６に示したグルコース濃度分析装置の第３通電パターンを説明するための等価回路図である。
【図２０】図１６に示したグルコース濃度分析装置の分析動作を説明するためのフローチャートである。
【図２１】被験者の皮膚に微細孔を形成する際に用いる変形例による穿刺具を示す外観図である。
【図２２】図２１に示した穿刺具に取り付けられる微細針チップを示す斜視図である。
【符号の説明】
【０１３９】
１  乾燥電極（第２電極）
２、４０７  電源部（電源）
３、３０２、４０３  グルコースセンサ（成分量測定部）
４、４１０  制御・解析部（分析部）
５、４０９  電圧計（通電結果測定部）
１００、３００、４００  グルコース濃度分析装置（皮膚透過率測定装置、成分濃度分析装置）  
２００  ディスポチップ（抽出用カートリッジ）
２０１  メッシュシート（媒体収容部）
２０３  作用電極（第１電極）  
３００ａ  コンダクタンス測定装置（皮膚透過率測定装置）
３００ｂ  濃度分析装置（測定装置）
３０１  受け部（第２カートリッジ装着部）
３０３  制御・解析部（分析取得部）
４０１  チャンバー（媒体収容部）
４０４  電極（第１電極）
４０５  電極（第２電極）
４０６  電極（第３電極）
５００  皮膚
５０１  抽出部位
【図１】
2008237271.tif 000005
【図２】
2008237271.tif 000006
【図３】
2008237271.tif 000007
【図４】
2008237271.tif 000008
【図５】
2008237271.tif 000009
【図６】
2008237271.tif 000010
【図７】
2008237271.tif 000011
【図８】
2008237271.tif 000012
【図９】
2008237271.tif 000013
【図１０】
2008237271.tif 000014
【図１１】
2008237271.tif 000015
【図１２】
2008237271.tif 000016
【図１３】
2008237271.tif 000017
【図１４】
2008237271.tif 000018
【図１５】
2008237271.tif 000019
【図１６】
2008237271.tif 000020
【図１７】
2008237271.tif 000021
【図１８】
2008237271.tif 000022
【図１９】
2008237271.tif 000023
【図２０】
2008237271.tif 000024
【図２１】
2008237271.tif 000025
【図２２】
2008237271.tif 000026